(57)【要約】  眼鏡は一対のレンズの各々を取り囲むワイヤをそれぞれ有している。張力組立体は、ワイヤを調整し張り渡す。張力組立体の２つの変形例が示されている。一方の張力組立体は、ワイヤの一部が巻き掛けられるスプールを有している。もう一つの張力組立体は、レンズから外方に延びる突出部内でワイヤの一部を内方に引っ張る挿入部を有している。
2007537489.tif 000002
【特許請求の範囲】
【請求項１】
第１レンズ及び第２レンズと、
前記第１レンズを実質的に取り巻く第１ワイヤ及び前記第２レンズを実質的に取り巻く第２ワイヤと、
第１挿入部に接続された前記第１ワイヤの第１端部及び第２端部と、
第２挿入部に接続された前記第２ワイヤの第１端部及び第２端部と、
前記第１挿入部の少なくとも一部を収容する第１スリーブと、
前記第２挿入部の少なくとも一部を収容する第２スリーブと、
前記第１スリーブの一部分を通じて延長し、且つ、前記第１挿入部の一部分と係合する第１ねじ付き留め具であって、前記第１ねじ付き留め具を締め付けることによって前記第１ワイヤ上の張力負荷が増大するようになっている第１ねじ付き留め具と、
前記第２スリーブの一部分を通じて延長し、且つ、前記第２挿入部の一部分と係合する第２ねじ付き留め具であって、前記第２ねじ付き留め具を締め付けることによって前記第２ワイヤ上の張力負荷が増大するようになっている第２ねじ付き留め具と、
を有する眼鏡。
【請求項２】
前記第１ねじ付き留め具は、回転軸を有しており、前記回転軸は、前記第１挿入部を通じて延長し、且つ、前記第１挿入部と前記第１ワイヤの前記第１及び第２端部との間の接続ポイントを略二等分している請求項１記載の眼鏡。
【請求項３】
前記第２ねじ付き留め具は、回転軸を有しており、前記回転軸は、前記第２挿入部を通じて延長し、且つ、前記第２挿入部と前記第２ワイヤの前記第１及び第２端部との間の接続ポイントを略二等分している請求項２記載の眼鏡。
【請求項４】
前記第１ねじ付き留め具の前記軸と前記第２ねじ付き留め具の前記軸は、略横方向に延長している請求項３記載の眼鏡。
【請求項５】
前記第１ねじ付き留め具は、前記第１スリーブ内に略没入しており、前記第２ねじ付き留め具は、前記第２スリーブ内に略没入している請求項３記載の眼鏡。
【請求項６】
前記第１ワイヤは、様々な形状のレンズを固定するべく選択的に調節可能である請求項１記載の眼鏡。
【請求項７】
前記第１ワイヤは、様々なサイズ及び／又は形状のレンズを固定するべく選択的に調節可能である請求項１記載の眼鏡。
【請求項８】
第１レンズ及び第２レンズと、
前記第１レンズを実質的に取り巻く第１ワイヤと、
前記第１ワイヤの第１端部に接続され、第１ボアと、前記ボアに向かって延長する第１通路と、を有する第１突出部と、
前記第１通路を通じて延長する前記第１ワイヤの第２端部と、
前記第１ワイヤの前記第２端部に接続され、且つ、前記第１ボア内に配置された第１スプールと、
を有する眼鏡。
【請求項９】
前記第１スプールの一端に接続された第１スリーブを更に有する請求項８記載の眼鏡。
【請求項１０】
前記第１スリーブと前記第１スプールは、ねじが切られた接続部を具備する請求項９記載の眼鏡。
【請求項１１】
前記第１ボアは、第１段差及び第１支持部を有しており、前記第１スプールは、前記第１段差と当接し、前記第１スリーブは、前記第１支持部と当接している請求項１０記載の眼鏡。
【請求項１２】
前記第１通路は、前記第１段差と前記第１支持部表面の間の位置において前記第１ボア内に進入している請求項１１記載の眼鏡。
【請求項１３】
前記第１ワイヤは、前記第１スプール内の第１孔内に延長している請求項９記載の眼鏡。
【請求項１４】
前記第１スプールは、前記第１孔上を延長する第１周辺凹部を有する請求項１３記載の眼鏡。
【請求項１５】
前記第１周辺凹部は、前記第１通路が前記第１ボア内に進入する位置に略アライメントされている請求項１３記載の眼鏡。
【請求項１６】
前記第１ワイヤは、様々な形状のレンズを固定するべく選択的に調節可能である請求項９記載の眼鏡。
【請求項１７】
前記第１ワイヤは、様々なサイズ及び／又は形状のレンズを固定するべく選択的に調節可能である請求項９記載の眼鏡。
【請求項１８】
第１レンズ及び第２レンズであって、前記第１レンズは、第１周辺側部表面を有し、前記第２レンズは、第２周辺側部表面を有する、第１レンズ及び第２レンズと、
前記第１周辺側部表面から離れる方向に延長する第１突出部と、前記第２周辺側部表面から離れる方向に延長する第２突出部と、
前記第１突出部に接続された第１ワイヤ端部及び第２ワイヤ端部と、
前記第２突出部に接続された第３ワイヤ端部及び第４ワイヤ端部と、
前記第１突出部内に配置され、且つ、前記第１突出部内において軸方向に前記第１及び第２ワイヤ端部の少なくとも１つの少なくとも一部分を移動させるべく適合された第１ねじ付き部材と、
前記第２突出部内に配置され、且つ、前記第２突出部内において軸方向に前記第３及び第４ワイヤ端部の１つの少なくとも一部分を移動させるべく適合された第２ねじ付き部材と、
を有する眼鏡。
【請求項１９】
前記第１ねじ付き部材は、第１スプールを有する請求項１８記載の眼鏡。
【請求項２０】
前記第２ワイヤ端部の一部分も前記第１スプールの軸を中心として回転する請求項１９記載の眼鏡。
【請求項２１】
前記第１ねじ付き部材は、前記第２ワイヤ端部の前記軸方向に略延長する第１軸を具備している請求項１８記載の眼鏡。
【請求項２２】
前記第１ワイヤ端部及び前記第２ワイヤ端部は、第１挿入部に固定されており、前記第１挿入部は、前記第１突出部に挿入されており、且つ、前記第１ねじ付き部材の前記第１軸に沿って移動可能である請求項２１記載の眼鏡。
【請求項２３】
前記第１突出部に固定された第１テンプルと、前記第２突出部に固定された第２テンプルと、を更に有する請求項１８記載の眼鏡。
【請求項２４】
前記第１ワイヤ端部及び前記第２ワイヤ端部を有するワイヤにより、第１ループが定義されており、前記第１ループの長さは、前記第１挿入部の軸方向の移動と比較して、約２倍だけ変化する請求項１８記載の眼鏡。
【請求項２５】
前記第１ループは、様々な形状のレンズを固定するべく選択的に調節可能である請求項２４記載の眼鏡。
【請求項２６】
前記第１ループは、様々なサイズ及び／又は形状のレンズを固定するべく選択的に調節可能である請求項２４記載の眼鏡。
【発明の詳細な説明】
【技術分野】
【０００１】
本発明は、オプトメトリック装置に関するものである。更に詳しくは、本発明は、それぞれのレンズを実質的に取り巻く調節可能な柔軟なワイヤを特徴とした縁なしの外観を有するべく設計された眼鏡フレームに関するものである。
【背景技術】
【０００２】
眼鏡のスタイルは、頻繁に変化しており、ファッショナブルな眼鏡は、購入に費用がかかる。従来、眼鏡のスタイルは、少なくとも部分的に金属及び／又は樹脂に基づいた材料から形成されたフレームによって限定されてきた。従って、眼鏡は、重量があり、且つ、レンズのスタイルとサイズが、フレームに基づいて決定されていた。現在では、大衆のファッションに対する気まぐれな欲求と光学的ニーズに応えるべく、様々なレンズのサイズ及び形状を有する数百もの眼鏡スタイルを製造しなければならなくなっている。それぞれのスタイルごとにフレームを製造するには、それぞれのサイズ及び形状の大規模な生産稼動が必要となる。これには費用を要し、且つ、その眼鏡スタイルが十分な量を販売するのに十分なほどにポピュラーでない場合には、結果的に費用の回収ができなくなる。
【０００３】
最近、レンズを貫通して延びる孔を必要とするねじ付きの留め具、支柱、又これらに類似したものによってテンプルとブリッジがレンズに直接固定された所謂縁なし眼鏡が導入されており、このような縁なし眼鏡は、ファッション世界に急速に取り入れられている。縁なし眼鏡は、レンズの周りの重いフレームがないことに起因し、非常に軽量である。
【発明の開示】
【発明が解決しようとする課題】
【０００４】
しかしながら、真の縁なし眼鏡は、いくつかの欠点を有している。第１に、ブリッジと、テンプルのペアをレンズに固定するのに使用される孔を非常に正確に穿孔しなければならない。このため、大部分の光学技術者は、この穿孔作業を社内において実行することができず、外部のサービスを使用しなければならない。このような外部サービスには、費用がかかる共に、眼鏡の供給プロセスに更なる時間が加算されることになり、結果的にエンドユーザーは、眼鏡を入手するまで更に待たなければならない。また、この眼鏡の内部における必要な孔の穿孔作業は、外部サービスによる場合にも、レンズの破壊に結びつく可能性を有している。当然、交換レンズの原価を眼鏡の最終原価に算入しなければならず、この結果、眼鏡のコストが更に増大することになる。最後に、レンズの材料は、しばしば、長期間の使用及び特定の眼鏡着用者に帰因する誤用に耐えるだけの十分な強度を具備してはいない。従って、眼鏡業界に働く人々は、当業界内において現時点において見出される真の縁なし眼鏡に代わる更に優れた代替物を見出すべく試みてきた。
【課題を解決するための手段】
【０００５】
最近になって、レンズを薄い複数のフィラメントワイアによって取り巻く眼鏡の縁なしスタイルが提案されている。このような眼鏡の例が、２００３年１０月２日付けで出願された同時係属中の米国特許出願第１０／６７８９６４号（これは、本引用により、そのすべてが本明細書に包含される）と、この出願が優先権を主張している２００３年６月３０日付けで出願された米国特許出願第１０／６１０８６２号、２００２年１０月１１日付けで出願された米国特許出願第１０／２６９８１１号、及び２００２年７月１０日付けで出願された米国仮特許出願第６０／３９４８３７号に記述されている（これらは、いずれも、本引用により、そのすべてが本明細書に包含される）。
【０００６】
同時係属中の出願に記述されているように、ワイヤは、テンプルをヒンジ結合可能なブリッジの一部と、末端部の一部とを通過している。しかしながら、この同時係属中の出願に記述されている構造は、コンポーネントの望ましくない動きを極小化又は除去できるように、柔軟なワイヤを十分に張り詰めることを一般に必要としている。これらの構造の多くにおいては、適切な緊張状態又は張力は、レンズが適切な形状及びサイズに非常に小さな公差によって切削されている場合にのみ、実現される。個々のレンズ切削装置の較正及び計測システムの変動と、装置を使用する光学技術者によって引き起こされる変動に起因し、現在の縁なし眼鏡は、安全で実用的な縁なし眼鏡を製造するために、いくつかの改善点を有している。
【０００７】
ワイヤ用には、様々な調節可能なテンションシステムを想起可能であるが、調節可能なテンションシステムは、標準的な末端部によく似た外部構造を具備していることが好ましい。このような構造は、テンションシステムが視覚的に目立つことを極小化することになろう。また、このような構造は、レンズのオーバーラップを極小化し、この結果、取付構造を目立たなくすることが可能であり、且つ、眼鏡の使用者の観察者にとって、眼鏡が更に透明なものとなろう。
【０００８】
従って、本発明の特定の態様は、柔軟なワイヤテンションメカニズムの多数の実施例の中のいずれかを有する縁なし眼鏡用の調節可能なテンションシステムに関するものである。開示されている柔軟なワイヤテンション実施例の中の様々なものは、組立の容易さと、縁なし眼鏡内においてレンズを固定する柔軟なワイヤの張力を調節するシステムを実現している。開示されている実施例の少なくともいくつかにおいて組立の容易さを助長している１つの特徴は、光学技術者がワイヤの端部を物理的に取り扱う必要がないという点にある。むしろ、このような実施例においては、ワイヤの端部は、テンションメカニズム内において固定されており、この結果、光学技術者に要求されるのは、アセンブリを緩め、レンズを挿入し、且つ、アセンブリを締め付けるための簡単なツールを使用することのみであり、この結果、眼鏡の組立プロセスの効率性が向上することになる。
【０００９】
大部分の好適な実施例においては、本システムは、本眼鏡システムにおける末端部に似たハウジング内にフィットするか、又はこのハウジングを限定するようにサイズ設定及び構成されている。換言すれば、組立の際に、ハウジングは、高さ、幅、及び深さを具備しており、幅と深さの少なくともいずれかが、高さを実質的に上回ることになろう。換言すれば、大部分の本眼鏡は、高さを最長寸法として具備していない末端部（例えば、テンプルがレンズ支持構造に付着している部分）を特徴としている。
【００１０】
レンズの外部周辺エッジから延長する突出部にテンプルを装着する方法には、多数の周知のものが存在しているため、本発明の実施例に関する説明を参照する際には、任意の好適な方法を使用することにより、本明細書に記述されている様々な閉鎖メカニズムにテンプルを装着可能であることを理解されたい。
【発明を実施するための最良の形態】
【００１１】
以下、いくつかの好適な実施例の図面を参照し、本発明のこれら及びその他の特徴、態様、及び利点について説明する。図示の実施例は、本発明を例示するためのものであって、この限定を意図したものではない。添付図面には、「図面の簡単な説明」の節に記述されている図面が含まれている。
【００１２】
本発明は、一般に、ケーブル又はワイヤによって限定されたループ内においてレンズを定位置に固定できるようにそれぞれのレンズを実質的に取り巻く柔軟なケーブル又はワイヤを特徴とする眼鏡フレームアセンブリに関するものである。このような眼鏡の例は、２００３年１０月２日付けで出願された同時係属中の米国特許出願第１０／６７８９６４号、２００３年６月３０日付けで出願された米国特許出願第１０／６１０８６２号、２００２年１０月１１日付けで出願された米国特許出願第１０／２６９８１１号、２００２年７月１０日付けで出願された米国仮特許出願第６０／３９４８３７号に図示及び記述されており、これらの参考文献は、本引用により、そのすべてが本明細書に包含される。
【００１３】
いくつかの構成においては、柔軟なワイヤは、一般に、関連するレンズを囲んでいるか取り巻いている。カスタマイズ可能なレンズ形状及びサイズを提供する能力を有する一般的なフレームアセンブリを提供するべく、ワイヤは、単一のフレームアセンブリ内において様々なサイズ及び形状のレンズを固定できるように、レンズの周りに延長するのに十分な長さを具備可能であり、且つ、レンズの周りに締め付け可能である。本明細書に記述されている実施例のすべてにおいて、それぞれのレンズは、色付きレンズ、度付きレンズ、又は保護レンズを含む（但し、これに限定されない）任意のその他の望ましいタイプのレンズを有することができる。
【００１４】
好ましくは、ワイヤは、関連するレンズの周りの全周の少なくとも約９０％を延長している。いくつかの実施例においては、ワイヤは、関連するレンズの周りの全周の少なくとも約９５％を延長している。その他の実施例においては、ワイヤは、関連するレンズの周りの全周の略すべて又はすべてを延長している。溝内において関連するレンズの周りの実質的に全周にワイヤを延長させることにより、その他の縁なし又はセミ縁なし眼鏡（例えば、ナイロンコードを有する上部又は下部金属フレーム内に固定されたレンズを有する眼鏡）と比較して、柔軟で耐久性のあるレンズ取付システムを生成しつつ、縁なしの外観を眼鏡に提供している。更には、このような構造は、その他のタイプの完全に縁なしの眼鏡を組み立てるためにしばしば利用されている高価で時間を所要する外部サービスの使用を伴うことなしに、眼鏡業者及びこれに類似した者による組立が容易である。
【００１５】
又、ワイヤは、レンズを略取り巻いている複数の部分を有することもできる。例えば、２本のワイア部分が、それぞれ、レンズの周りを約半分だけ延長し、これにより、２つの部分が協働してレンズを略取り巻くようにすることができる。これらのワイヤ部分は、例えば、ブリッジ、閉鎖部材、又はテンプルヒンジなどの（但し、これらに限定されない）別の眼鏡コンポーネントに適切に固定された一端を具備可能であり、２本のワイヤの他端は、本明細書に開示されている任意の方式によって１つに固定可能である。その他の本数のワイヤを使用することも可能であるが、２本を上回る本数のワイヤ部分は、眼鏡の組立を複雑化し、望ましくないであろう。
【００１６】
いくつかの実施例においては、関連するレンズの周囲に沿って、例えば、ブリッジ、ブローバー、又は閉鎖部材などの（但し、これらに限定されない）堅いコンポーネントを配置可能である。好ましくは、これらの堅いコンポーネントは、合計で、レンズの全体周辺長の約１０％未満にわたって延長している。いくつかの実施例においては、堅いコンポーネントは、全体周辺長の約５％未満にわたって延長している。いくつかの好適な実施例においては、閉鎖部材は、横寸法と後方（即ち、耳の方に向かう）寸法の少なくとも１つを下回る垂直寸法を具備している。このような実施例は、美観上における閉鎖部材の存在を低減し、この結果、縁なし眼鏡の外観が改善される。
【００１７】
それぞれのワイヤは、望ましくは、複数フィラメントの構造を有している。換言すれば、ワイヤは、好ましくは、複数のフィラメント、ファイバ、又はストランドを有している。いくつかの実施例においては、フィラメントは、金属、金属合金、ナイロン、ポリマー、樹脂、天然繊維、或いは、張力が適切に強力であり、且つ、本明細書に記述されている方式によってレンズを固定するのに十分な柔軟性を維持するその他の天然又は人工の材料から製造されている。いくつかの実施例においては、ワイヤは、光ファイバタイプの材料ら製造可能である。単一のフィラメントを使用することも可能であり、且つ、これが実際的ではあるが、複数フィラメントの構造は、本明細書に記述されている方式によって使用するのに十分な強度を維持しつつ、更に大きな柔軟性を提供するものと現時点においては考えられるため、複数フィラメントの構造が好ましい。また、複数フィラメントの構造によれば、レンズとワイヤ間の摩擦インターフェイスが増大し、この摩擦は、その他の眼鏡コンポーネントとの関係においてレンズの方向を固定するのに有用である。
【００１８】
複数のフィラメントは、好ましくは、撚り合わせられるか、編み込まれるか、又は１つに巻き付けられることにより、ワイヤを形作っている。必要に応じて、ワイヤは、シース、カバー、ジャケット、又はケーシング内に収容可能である。ケーシング又はこれに類似したものの内部に複数のフィラメントを収容することにより、その他の点で発生するであろう通常の磨耗及び擦り切れからフィラメントを良好に保護可能である。一実施例においては、ワイヤは、編み込み型のフィッシングリーダーワイヤと同様に構築されている。
【００１９】
縁なしの外観を提供するべく、ワイヤの直径は、十分に狭いものにする必要がある。いくつかの実施例においては、ワイヤは、約０．１ｍｍ〜約３．０ｍｍの平均直径を具備している。好ましくは、ワイヤは、約０．２ｍｍ〜約１．６ｍｍの平均直径を具備しており、更に好ましくは、約０．２ｍｍ〜約０．６ｍｍの平均直径を具備しており、更に好ましくは、約０．１ｍｍ〜約０．４ｍｍの平均直径を具備している。一実施例において、ワイヤは、約０．４ｍｍの平均直径を具備している。
【００２０】
まず、図１及び図２を参照すれば、眼鏡２０が示されている。眼鏡２０は、好都合なことに、本発明の特定の特徴、態様、及び利点に従って配列及び構成されている。図示のように、眼鏡２０は、２つのレンズ２２を有している。レンズ２２は、望ましい任意のサイズ、形状、又は構造を具備可能である。図示の構成においては、レンズ２２は、それぞれ、好ましくは、溝、チャネル、又はこれらに類似したものを有しており、この溝２４は、それぞれのレンズ２２の周辺エッジ２６内に形成されている。従って、ランド部のペアが、溝２４の両側部上に定義されている。
【００２１】
レンズ２２は、レンズパターン（図示されていない）又は任意のその他の好適な技法を使用してサイズ設定及び成形可能である。レンズ２２は、任意の好適な方式により、且つ、アプリケーション（例えば、色付きレンズ、処方レンズ、保護レンズなど）に応じて、準備及び切削可能である。好ましくは、周辺エッジ２６は、眼鏡業界において使用されている標準的な機械が「縁なし設定（ｒｉｍｌｅｓｓ  ｓｅｔｔｉｎｇ）」を実行するべく構成された際に、この機械上において製造可能な「縁なし切削（ｒｉｍｌｅｓｓ  ｃｕｔ）」という用語と一般に関連付けられているものなどのように、略平坦になっている。周辺に沿った略平坦な面が好ましいが、略平坦な面からの多少の逸脱も実施可能である。従って、少なくともいくつかの構成においては、レンズの周辺エッジが湾曲している場合には、レンズの湾曲した周辺エッジに当接する調節可能なテンションメカニズムの対応したエッジを、一致する曲線を有するように製造することも可能である。
【００２２】
溝２４は、好ましくは、深さと幅を具備している。深さは、周辺エッジ２６から前部表面の中心に向かうレンズ２２の内部への（例えば、レンズ２４を通じた視野方向に垂直の）方向を反映する寸法であり、一方、幅は、ランド部間の距離であり、これは、一般に、レンズ２４を通じた視野方向に沿った距離である。溝２４は、好ましくは、ワイヤ３０を収容しつつ、可能な限り小さな幅を具備しており、これについては、以下に更に詳しく説明するとともに、先程の引用によって本明細書に包含された出願及び特許にも詳しく説明されている。溝２４の深さは、好ましくは、ワイヤ３０の直径と実質的に同一である。いくつかの構成においては、溝２４は、直径よりも浅いものであってもよく、その他の構成においては、溝２４は、直径よりも深いものであってよい。特定の一実施例においては、溝２４は、眼鏡設計に対して固有の視覚的な興趣を追加するべく、ワイヤ３０がいくつかの領域内においては観察可能であり、その他の領域内においては観察不能となるように、浅いものと深いものの間において変化可能である。ワイヤ３０は、好ましくは、ワイヤ３０が実質的に視界から隠蔽されるように、レンズ２２の周辺エッジ２６と略同一平面をなしている。
【００２３】
ワイヤ３０は、好ましくは、複数フィラメントの構造を有している。換言すれば、ワイヤ３０は、好ましくは、参照符号３２によって概略的に示されているように（図３を参照されたい）、複数のフィラメント、ファイバ、又はストランドを有している。いくつかの実施例においては、フィラメント３２は、金属、金属合金、ナイロン、ポリマー、樹脂、天然繊維、或いは、張力が適度に強力であり、且つ、本明細書に記述されている方式によってレンズを固定するのに十分な柔軟性を維持するその他の天然又は人工の材料から製造されている。いくつかの実施例においては、ワイヤ３０は、光ファイバタイプの材料から製造可能である。単一のフィラメントを使用することも可能であるが、複数フィラメントの構造は、本明細書に記述されている方式によって使用するのに十分な強度を維持しつつ、相対的に大きな柔軟性を提供すると現時点においては考えられるため、複数フィラメントの構造が好ましい。
【００２４】
複数のフィラメント３２は、好ましくは、撚り合わせられているか、編み込まれているか、或いは、１つに巻き付けられることにより、ワイヤ３０を形作っている。ワイヤ３０は、シース、カバー、ジャケット、又はケーシング内に収容可能である。ケーシング又はこれに類似したものの内部に複数のフィラメント３２を収容することにより、さもなければ発生するであろう通常の磨耗及び擦り切れからフィラメント３２を良好に保護可能である。一実施例においては、ワイヤ３０は、編み込み型のフィッシングリーダーワイヤと同様に構築されている。
【００２５】
ワイヤ３０の直径は、好ましくは、眼鏡を使用する際にワイヤに印加される張力に適切に耐えるべく、十分に大きいものでありつつも、相当に小さいのものになっている。いくつかの実施例においては、ワイヤ３０は、約０．１ｍｍ〜約３．０ｍｍの平均直径を具備している。好ましくは、ワイヤ３０は、約０．２ｍｍ〜約１．６ｍｍの平均直径を具備しており、更に好ましくは、約０．２ｍｍ〜約０．６ｍｍの平均直径を具備しており、更に好ましくは、約０１．ｍｍ〜約０．４ｍｍの平均直径を具備している。一実施例においては、ワイヤ３０は、約０．４ｍｍの平均直径を具備している。
【００２６】
眼鏡２０は、好ましくは、対応した外向きの突出部３６においてそれぞれのレンズに接続された２つのテンプル又はつる３４を有している。つる３４は、任意の好適な方式によって突出部３６に旋回可能に接続可能である。いくつかの構成においては、つる３４は、突出部３６と一体で形成されている。このような構成においては、つる３４を突出部３６に旋回可能に接続することはできない。つる３４は、任意の適切な材料から形成可能であり、且つ、任意の好適な構造を具備可能である。
【００２７】
全体的なサイズ設定については、突出部３６が眼鏡の外観に対して最小限の影響を具備するように、突出部３６は、好ましくは、標準的な眼鏡フレーム上に見出される突出部に似たものになっている。例えば、標準的な眼鏡フレームにおいては、突出部は、高さ、幅、及び深さを具備しており、この場合に、幅とは、レンズから外側への寸法であり、深さとは、着用者の耳に向かう後方への寸法である。これらの突出部は、通常、幅及び深さの少なくとも１つを下回る高さを具備している。標準的な眼鏡のいくつかにおいては、突出部の高さは、幅及び深さの両方を下回っている。図示の構成においては、幅は、突出部３６の高さの少なくとも２倍になっている。その他のサイズも実施可能である。
【００２８】
図２を参照すれば、図示の構成における突出部３６は、スリーブ４０、スリーブ３８の少なくとも一部分内に収容される挿入部４２、及びねじ付きの留め具４４を有している。前述のように、これらのコンポーネントは、いずれも、好ましくは、眼鏡の望ましい縁なしの外観に対する影響を極小化するべく、コンパクトに構成されている。縁なしの外観を生成するという所望に起因し、小型の調節アセンブリを構成するということに特別な注意が払われている。
【００２９】
図示の構成においては、スリーブ４０は、好ましくは、略円筒形の外部表面４６を具備している。但し、いくつかの構成においては、スリーブ４０は、例えば、視覚的な影響を変更できるように、矩形又は正方形を含む（但し、これらに限定されない）その他の形状を具備可能である。例えば、略立方体の構成について、図６〜図８を参照し、後述する。
【００３０】
スリーブ４０は、通路５０をも有している。通路５０は、好ましくは、スリーブ３８を通じて軸方向に延長している。好ましくは、通路は、その外観が略円筒形であるが、その他の形状を実施することも可能である。図示の構成においては、ボス５２が、通路５０内に途中まで延長している。いくつかの構成においては、ボス５２は、環状のフランジである。その他の構成においては、内側に延長するフィンガによってボス５２を定義可能である。その他の適切な構造も使用可能である。ボス５２は、図示の構成においては、通路５０内に窪んでいるが、いくつかの構成においては、通路５０又はスリーブ４０の外部端部を形成可能である。
【００３１】
挿入部４２は、好ましくは、通路５０内に収容されるように、サイズ設定及び構成されている。更に好ましくは、挿入部４２は、相当にきついがスライド可能なフィット状態を実現するべく、通路５０の内部寸法に対して近接して寸法設定されている。いくつかの構成においては、挿入部４２と通路５０は、通路５０内における挿入部４２の回転を制限するように、成形されているか又は、このように設計されたインターロッキング構造を有している。このような一構成においては、形状及び／又はインターロッキング構造は、挿入部４２を通路５０内に収容可能な挿入部４２と通路５０間における相対的な向きを制限している。例えば、挿入部は、略三角形の部分を有することが可能であり、通路も、略三角形の形状の断面を具備可能である。
【００３２】
図示の挿入部４２は、本体５４と接続タブ５６を有している。これらの２つのコンポーネント５４、５６は、一体で形成することも可能であり、或いは、別個に形成し、任意の好適な方式によって１つに接続することも可能である。図示の構成における本体５４は、略円筒形であり、好ましくは、ねじが切られた内部ボア６０を有している。前述のように、いくつかの構成においては、本体５４は、その他の形状を具備可能である。
【００３３】
接続タブ５６は、好ましくは、ワイヤ３０の直径と通路５０の断面に比例してサイズ設定されている。図示の構成においては、タブ５６は、通路５０の直径からワイヤ３０の直径２つ分を差し引いたものをわずかに下回る厚さを具備している。従って、タブ５６は、タブ５６のそれぞれの側部に位置するワイヤの一部と共に、通路５０内にフィット可能である。
【００３４】
図示の接続タブ５６は、好ましくは、ねじが切られた内部ボア６０の軸に対して略横方向に延長する孔のペア６２を有している。これらの孔６２は、好ましくは、ワイヤ３０を収容するべくサイズ設定されている。一構成においては、ワイヤ３０を両方の孔に通すことができる。このような構成においては、別個の閉鎖構造によってワイヤ３０を閉じることにより、ループを形成する。図示の構成においては、ワイヤ３０のそれぞれの端部が、個々の孔６２を通過して定位置に固定されている。例えば、ワイヤのそれぞれの端部は、結ばれているか、球状になっているか、拡大されているか、溶接されているか、ろう付けされているか、はんだ付けされているか、又はこれらに類似した処理を実施可能である。図示の構成においては、ワイヤ３０の端部６４は、孔６２の直径を上回る断面に変形されている。
【００３５】
ねじ付きの留め具４４は、好ましくは、止めねじ又はこれに類似したものである。図示の留め具４４は、頭部６６及び軸部７０を有している。頭部６６は、好ましくは、通路５０内に没入可能である。但し、いくつかの構成においては、頭部６６は、通路の外側に少なくとも部分的に露出している。また、頭部６６は、標準的なねじ回し又はこれに類似したものを受け入れるスロット７２をも有している。いくつかの構成においては、その他のタイプの構造を使用し、ねじ付きの留め具４４を締め付けるためのツールを受け入れることができる。例えば、窪んだ星形パターン、窪んだ交差スロットのペア、盛り上った隆起、交差した盛り上った隆起のペア、盛り上った星形、又はこれらに類似したものを実施可能である。
【００３６】
軸部７０には、好ましくは、少なくとも部分的にねじが切られている。軸部７０上のねじは、好都合なことに、挿入部４２の内部のねじが切られたボア６０と結合する。いくつかの構成においては、ねじ付きの留め具は、ねじが切られたボアを有することが可能であり、挿入部は、このねじが切られたボアと結合するねじが切られたシャフト部分を有している。好ましくは、軸部は、ボス５２を通じて挿入部４２内に延長するようにサイズ設定されている。更に好ましくは、挿入部４２のねじが切られたボア６０は、ねじ付きの留め具４４がボア６０内において底に到達しない程度の長さを具備している。むしろ、極端な状況においては、挿入部４２内へのねじ付きの留め具４４の締め付けは、好ましくは、ねじ付きの留め具４４の頭部６６と挿入部４２の端部間においてボス５２が締め付けられるように、挿入部４２がボス５２と接触するまで継続可能である。
【００３７】
使用の際には、レンズ２２のサイズ及び形状を選択する。前述のように、レンズ２２は、任意の適切なサイズ、形状、及び構造を具備可能である。又、レンズ２２は、処方、色付き、保護用、又はこれらに類似したものであってよい。この結果、レンズが準備され、所望のサイズ及び形状に切削される。予め成形されたレンズを使用することも可能である。好ましくは、レンズ２２は、平坦化された表面を具備する周辺エッジ２６を有するように形成されている。
【００３８】
レンズ２２のそれぞれの周辺エッジ２６内に溝２４を製作する。溝２４は、好ましくは、指定された深さに形成されている。また、溝２４は、好ましくは、指定された幅を有するように形成されており、この幅は、ワイヤ３０を収容可能である。更に望ましくは、溝２４は、ワイヤ３０の直径と同程度に広いか、又はこれよりもわずかに広くなっており、且つ、溝２４は、ワイヤ３０の直径と同程度に深いか、又はこれよりもわずかに深くなっている。この結果、ワイヤ３０は、好ましくは、関連するレンズ２２の周辺エッジ２６と略同一平面をなすことになろう。別の表現をすれば、溝２４のサイズ設定は、一般に、ワイヤ３０の直径に少なくとも部分的に依存している。
【００３９】
この結果、レンズ２２を挿入するべく、眼鏡２０の準備が整うことになる。要すれば、ワイヤ３０を挿入部４２の孔６２に通す場合には、ワイヤ３０を孔６２に通すと共に先程の引用によって包含された参照文献に記述されているものなどの適切な閉鎖部材アセンブリを通すことにより、ワイヤループを形成する。挿入部４２によってワイヤ３０をループとして固定する場合には、ワイヤ３０を、レンズ２２を定位置に緩やかに固定することになる長さに計測した後に、マーキング又は切断する。ワイヤをマーキングする場合には、ワイヤ３０の２つの端部を孔６２に通して切断した後に、ワイヤ又はこれに類似したものの端部を拡大することにより、ワイヤを挿入部６２に固定可能である。ループをブリッジ（図示されてはいない）によって閉じない場合には、好ましくは、ブリッジは、ループを形成する前に、ワイヤに固定される。
【００４０】
ループを形成する際に、閉鎖部材アセンブリを使用しない場合には、レンズ２２は、好ましくは、挿入部４２をワイヤ３０に固定する前に、挿入される。閉鎖部材アセンブリを使用する場合には、好ましくは、挿入部４２をワイヤ３０に固定した後に、閉鎖部材アセンブリを閉じることにより、レンズ２２をワイヤループ内に捕獲可能である。コンポーネント（例えば、レンズ、ブリッジ、及び挿入部）のそれぞれが、ワイヤによって形成されたループ上に（又は、これによって）捕獲された後に、任意の好適な方式により、ブリッジ及び挿入部をレンズとの関係において位置決め可能である。このような位置は、好ましくは、レンズの回転方向と、このような回転方向の処方に対する影響と、を考慮に入れている。様々な実施例においては、閉じたループ内にレンズを挿入することも可能であり、或いは、レンズの周りにおいてループを閉じることも可能であることに留意されたい。
【００４１】
レンズを捕獲し、ブリッジ及び挿入部を適切に方向付けした後に、挿入部４２をスレーブ４０内に挿入可能であり、ねじ付きの留め具４４が挿入部４２と係合可能である。ねじ付きの留め具を第一方向に回転させることにより、挿入部がスリーブ４０内に引き込まれ、この結果、ケーブル３０の一部がハウジング内に引っ張られる。従って、ねじ付きの留め具４４を回転させることにより、レンズ２２の周りにワイヤ３０を締め付けることができる。これらのコンポーネントの向きは、レンズの周りにワイヤ３０を締め付ける際に微細チューニング可能である。
【００４２】
いくつかの組立工程においては、閉鎖部材アセンブリ（図示されてはいない）によってワイヤループを閉じる前に、ねじ付きの留め具４４により、挿入部４２をスリーブ４０内に固定可能である。このような工程においては、閉鎖部材アセンブリがレンズ２２の周りにおいてワイヤループを閉じるための十分な緩みを提供するべく、ねじ付きの留め具４４を挿入部４２から部分的又は完全に引き出しておく必要があろう。或いは、この代わりに又は、これに加えて、溝２４の深さを大きくすることにより、ループを閉じることができるようにすることも可能である。
【００４３】
両方のレンズ２２が個々のワイヤループ内において固定された後に、対応するループをわずかに緩めることにより（例えば、ねじ付きの留め具４４を挿入部４２から引き出すことにより）、必要に応じて、レンズ２２のフィット状況と向きをチェック及び調節可能である。この望ましい調節の後に、レンズの周りにおいてループを締め付けることにより、調節済みの向きを維持可能である。眼鏡２０の組立が完了し、フィット状態のチェックが終了した後に、適切な方式によって眼鏡を清掃し、販売可能である。
【００４４】
次に、図６〜図８を参照すれば、図２の構成の一変形が示されている。本明細書に記述されているように、この変形は、図２の構成に類似しており、異なっているのは、主に２つの点である。第１に、スリーブ２４０と挿入部２４２の物理的な形状が、前述の対応するコンポーネント４０、４２とは異なっている。２点目は、ワイヤ２３０又はワイヤの一部を挿入部２４２の接続タブ２５６に装着するための３つの異なる技法である。従って、前述の検討内容及び説明の大部分は、図６〜図８の構成にも適用可能である。
【００４５】
まず、図６を参照すれば、図示のスリーブ２４０は、その構造が略立方体になっている。換言すれば、スリーブ２４０は、スリーブ２４０の面のいずれかと平行に取得された略正方形又は略矩形の断面を有することになろう。但し、この構造は、前述のように、ほとんど無限のスリーブ２４０の外部表面構造の群の中の１つに過ぎない。
【００４６】
前述のように、スリーブ２４０は、好ましくは、通路（図示されてはいない）を有している。図６の構成おける通路は、好ましくは、挿入部２４２の外部寸法と密接に対応するべく、略立方体になっている。いくつかの構成においては、通路は、挿入部２４２をかなり緩やかに収容するべく、成形可能である。更には、スリーブ２４０は、好ましくは、スリーブ２４０を通じた挿入部２４２の動きに対する止め具として機能するボス又端面を有している。この止め具は、例えば、フランジ、或いは、１つ又は複数の個別のフィンガ、或いは、これらに類似したものを有することができる。
【００４７】
前述のように、挿入部２４２は、好ましくは、スリーブ２４０の通路内に収容されるように、サイズ設定及び構成されている。当然のことながら、図６〜図８の実施例においては、挿入部２４２は、好都合なことに、スリーブ２２０の通路内における大きな回転を制限又は防止するべく構築されている。図からは容易に明らかではないが、挿入部２４２は、好ましくは、図示の挿入部２４２が２つの異なる方向（即ち、表を上にした方向とこの逆の方向）においてのみ収容されるように、挿入部の前面及び後面よりも上部及び底部において相対的に大きな寸法を具備している。いくつかの実施例においては、挿入部は、更に多くの又は更に少ない向きを許容するべく構築可能であるが、好都合なことに、図示の構成によれば、ワイヤ２３０に対する接続が結果的に適切に位置決めされることになる。
【００４８】
前述の構成と同様に、挿入部２４２は、本体２５４と接続タブ２５６を有している。これらのコンポーネント２５４、２５６は、一体で形成することも可能であり、或いは、別個に形成し、任意の好適な方式によって１つに接続することも可能である。本体２５４は、好ましくは、ねじが切られた内部ボア２６０を有しており、且つ、適切な形状及び構造を具備可能である。また、いくつかの構成においては、本体２５４は、円筒形であってよく、スリーブ２４０は、略立法体である（並びに、この逆も同様である）。換言すれば、本体２５４とスリーブ２４０の外部表面を同様に成形する必要はない。
【００４９】
接続タブ２５６は、ワイヤ又はワイヤの一部２３０への接続用の場所を提供している。この観点において、接続タブ２５６は、好ましくは、適切にサイズ設定及び成形されている。図６の構成においては、接続タブ２５６は、ねじ付きの留め具２４４の回転軸に対して略垂直のラインによって中心線が接続されるように並んだ構成で方向付けされた２つの孔２６２を有している。いくつかの構成においては、これらの孔２６２の向きを変更可能である。また、前述のように、孔２６２内にワイヤ２３０を固定する任意の好適な方式を使用可能である。更には、図７に示されているように、溶接、ろう付け、はんだ付け、接着、又はこれらに類似したものにより、ワイヤ又はワイヤの一部の端部２３０’を接続タブ２５６’に固定することも可能である。図８に示されている別の構成においては、ワイヤ又はワイヤの一部２３０’’を挿入部２４２’’の本体２５４’’に直接固定できるように、接続タブを除去することができる。挿入部２４２をワイヤ又はワイヤの一部２３０に接続するその他の適切な技法を使用することも可能である。
【００５０】
次に、図９〜図１２を参照すれば、別の眼鏡２０の一部分が示されている。具体的には、これらの図は、突出部８０として使用するのに適した別の構造を示しており、これらは、前述の突出部３６に類似している。突出部８０は、関連する眼鏡のテンプル又はブリッジの近傍に配設可能である。いくつかの構成においては、図示の突出部８０は、ブリッジ、つる、又は、眼鏡のレンズへのつるの旋回可能な取り付けに関連したヒンジ構造の一部を形成するか、或いは、これらと一体化可能である。突出部８０は、好ましくは、前述の方式によってサイズ設定されているが、これは、必須ではない。
【００５１】
図示の突出部８０は、好都合なことに、閉鎖部材アセンブリとして機能し、この突出部を使用することにより、ワイヤ８２のループを閉じることができる。ワイヤは、本明細書に記述されている任意の方式によって構築可能である。図１０に示されている構成においては、ワイヤの第１端部８４は、任意の好適な方式によって突出部８０の一部分に固定されている。一構成においては、ワイヤ８２の第１端部８４は、突出部８０に対して溶接されるか、ろう付けされるか、又ははんだ付けされている。その他の構成においては、ワイヤ８２の第１端部８４と突出部８０は、接着されるか、結合されるか、インターロッキング構造によって機械的に接続されるか、又はこれらに類似した処理を施すことができる。更には、いくつかの構成においては、複数のワイヤ８２を突出部８０に装着可能である。
【００５２】
突出部８０は、ワイヤ通路８６を含んでいる。ワイヤ通路８６は、突出部内に定義されており、且つ、第１開口部９０と第２開口部９２間に延長している。好ましくは、第１開口部は、上方から観察した際に、第１端部８４と突出部８０間の装着場所の線に略沿って配置されている。この配置は、ワイヤ８２がレンズの周りにおいて締め付けられた際に、突出部８０が捩れの動きに耐えるために有用である。また、ワイヤ通路８６は、突出部８０の上部表面９４に対して角度を有するように第１開口部９０から第２開口部９２に向かって上方に延長している。この通路の角度を有する向きにより、第２開口部を突出部の高さ内において中央に配置可能である。
【００５３】
第２開口部９２は、突出部８０内に形成された孔９６内に開口している。図示の孔９６は、大きなカウンタボア部分１００、中間巻き取りチャンバ部分１０２、支持部１０４、及び中間カウンタボア部分１０６という４つの別個の部分を有している。但し、その他の孔構造も使用可能である。
【００５４】
孔９６内に、スプール部材１１０が略収容されている。スプール部材１１０は、好ましくは、一端にツール係合構造１１２を有している。図示のツール係合構造１１２は、スロットを有しているが、その他の好適な構造を使用することも可能であり、正方形又は六角形の形状の凹部を含むがこれらに限定されない。例えば、ねじ付きの留め具４４に関係して前述した構造のいずれかを使用することも可能である。
【００５５】
スプール部材１１０の中央領域１１４は、略円周状の溝１１６と別の孔１２０を有している。溝１１６は、好ましくは、実質的に第２開口部９２の線に沿っている。又、溝１１６は、好ましくは、孔９６の巻き取りチャンバ部分１０２の壁から半径方向に離隔している。この離隔により、ワイヤ８２は、スプール部材１１０の周りに少なくとも部分的に巻き付くことができる。図１０に最も明瞭に示されている孔１２０は、好ましくは、溝１１６と交差している。この孔は、ワイヤ８２の一部を収容するように、サイズ設定されている。孔１２０内にワイヤ８２の一部を配置することにより、ワイヤ８２は、スプール部材１１０が突出部８０との関係において回転した際に、スプール部材１１０の周りに巻き付くことになる。
【００５６】
スプール部材１１０の下部領域１２２には、好ましくは、ねじが切られている。このねじが切られた部分１２２は、スリーブ１２４内のねじと係合する。締め付けられた状態の構成においては、スリーブ１２４が支持部に当接し、この結果、スプールが定位置にロックされる。従って、スリーブ１２４は、突出部８０との関係において回転可能であることが望ましい。更に好ましくは、スリーブ１２４の少なくとも一部は、スリーブ１２４が突出部８０との関係に置いて回転可能でありつつも、孔９６内に没入可能である。
【００５７】
又、スリーブの一端は、好ましくは、ツール係合構造１２６をも有している。図１０に示されているように、ツール係合構造１２６は、図示の構成においてはスロットであるが、前述したものを含む任意のその他の好適なツール係合構造を使用することも可能である。この結果、スリーブ１２４を孔９６の支持部１０４に対する定位置に回転可能である。スリーブ１２４を定位置に回転させると、スプール部材１１０の上部部分又は頭部１３０が引き下ろされ、孔９６のカウンタボア部分１００及び巻き取りボア部分１０２からの遷移地点に定義されている段差と当接した状態となる。この結果、スプール部材１１０が、摩擦によって定位置にロックされることになろう。
【００５８】
使用する際には、前述のように、レンズを準備する。また、これらのレンズを挿入するべく、眼鏡２０を準備する。要すれば、スプール１１０を孔９６内に挿入する前に、ワイヤ８２を通路８６に通し、孔１２０内に挿入する。図示の構成においては、これらの段階は、レンズをループ内に挿入する前に実行されることになるが、いくつかの構成においては、ループは、別個の閉鎖部材によって閉じられることになっており、レンズを挿入する前にループを形成するか、レンズの周りに直接ループを形成するべく使用される別個の閉鎖部材により、ワイヤ８２をスプール１１０に接続可能である。好ましくは、ブリッジ（図示されてはいない）も、ループが形成される前に、ワイヤ８２に固定される。
【００５９】
コンポーネント（例えば、レンズ、ブリッジ、及び挿入部）のそれぞれが、ワイヤによって形成されたループ上に又は、これによって捕獲された後に、ブリッジ及び突出部８０を任意の適切な方式によってレンズに対して位置決め可能である。このような位置は、好ましくは、レンズの回転方向と、このような回転方向の処方に対する影響と、を考慮に入れている。様々な実施例においては、閉じたループ内にレンズを挿入することも可能であり、或いは、ループをレンズの周りにおいて閉じることも可能であることに留意されたい。
【００６０】
レンズを捕持し、ブリッジ及び突出部を適切に方向付けした後に、スプール１１０を回転させてレンズの周りにおいてワイヤを締め付けることができる。スプール１１０を第１方向に回転させることにより、ケーブル８２の一部がスプール上に巻き取られる。適切な張力が実現した後に、スリーブ１２４を締め付けることにより、スプール１１０を定位置にロックする。
【００６１】
両方のレンズを個々のワイヤループ内に固定した後に、必要に応じて、スプール１１０をわずかに回転させることによってスリーブ１２４をわずかに緩めて張力を低減することにより、レンズのフィット状態と向きをチェック及び調節可能である。この望ましい調節の後に、ループをレンズの周りにおいて締め付けることにより、調節済みの向きを維持可能である。眼鏡の組立が完了し、フィット状態のチェックが終了した後に、任意の好適な方式によって眼鏡を清掃し、販売可能である。
【００６２】
次に、図１３及び図１４を参照すれば、図１０〜図１２の構成の一変形が示されている。図１３及び図１４に示されている変形においては、スプール部材１１１０は、ワイヤ１０８２の２つの端部を同時に巻き取るべく適合されている。図示の構成は、スプール部材１１１０上に、このワイヤの２つの端部が巻き取られると共に／又はこれから巻き出される様子を示しており、スプール部材１１００は、別個のワイヤ又はワイヤの一部とそれぞれ関連付けられた２つのワイヤ端部を受け入れることができる。これらのワイヤ端部は、溶接、ろう付け、はんだ付け、接着、又は機械的なインターロッキング構造を含む（但し、これらに限定されない）任意の好適な方式により、スプール部材１１１０に固定可能である。
【００６３】
図示のように、突出部１０８０は、一般に、閉鎖部材アセンブリとして機能し、突出部１０８０を使用することにより、ワイヤ１０８２のループを閉じることができる。突出部１０８０は、それぞれ第１開口部１０９０と第２開口部１０９２間に延長する２つのワイヤ通路１０８６を有している。開口部１０９０、１０９２は、ワイヤ１０８２が開口部１０９０、１０９２のエッジによって（特に、第１開口部１０９０において）切断される可能性を低減するべく、面取りされた又は皿孔になった特徴を有することができる。また、これらの開口部は、好ましくは、略垂直方向に、互いにアライメントされており、且つ、取り付けられるレンズの周辺エッジ内に形成された溝ともアライメントされている。いくつかの構成においては、通路１０８６は、外部から内部に向かって互いに角度を有することができる（例えば、第２開口部１０９２よりも第１開口部１０９０のほうが広く離隔している）。
【００６４】
第２開口部１０９２は、突出部１０８０内に形成された孔１０９６内に開口している。この構成においては、孔１０９６は、大きなカウンタボア部分１１００、巻き取りチャンバ部分１１０２、及び中間カウンタボア部分１１０６という３つの個別の部分を有している。但し、いくつかの構成においては、前述のように、支持部を有することができる。又、その他の孔構造を使用することも可能である。
【００６５】
孔９６内には、スプール部材１１１０が略収容される。スプール部材１１１０は、略前述のように構築可能である。構造における１つの相違点は、第２ワイヤ端部から第１ワイヤ端部を全般的に分離している中央に配置されたフランジ１１１１である。更なる相違点は、スプール部材１１１０内の孔に挿入することなしに、ワイヤ端部を固定するように、図示のスプール部材１１１０が設計されているという点にある。尚、いくつかの構成においては、孔を提供可能ではあるが、ワイヤ端部を孔に通す必要がなければ、組立が容易になる。
【００６６】
前述のように、スプール部材１１１０の下部領域１１２２には、好ましくは、ねじが切られている。このねじが切られた下部領域１１２２は、スリーブ１１２４内のねじと係合する。但し、この構成においては、スリーブ１１２４を中間カウンタボア部分１１０６の基部に対して締め付け可能であり、この結果、スプール部材１１１０がその回転方向においてロックされる。このような構造については、前述のとおりである。又、スリーブ１１２４の更なる特徴についても、前述のとおりのものであってよい。
【００６７】
次に、図１５〜図２２を参照すれば、図９〜図１４の構成に略類似した構成１２００が示されている。構成１２００は、一般に、略垂直軸を中心として回転するべく適合されたスプール部材１２１０を特徴としている。このスプール部材は、それぞれのレンズ１２１８から略横方向外側に向かって延長する適切な突出部１２８０内に配置されている。突出部１２８０は、一般に、閉鎖部材として機能し、突出部１２８０を使用することにより、ワイヤ１２８２のループを閉じることが可能であり、このループは、本明細書に記述されている方式のいずれかによって配列及び構成されている。更には、前述のように、ワイヤ１５８２は、単一片として形成することも可能であり、或いは、適切に１つに固定された（例えば、本明細書の別の部分に記述されているように、ブリッジに対してはんだ付けされた）複数のワイヤ部分を有することも可能である。
【００６８】
突出部１２８０は、第１ワイヤ通路１２８６を有している（図１６及び図１７を参照されたい）。図１６の構成においては、第１ワイヤ通路１２８６は、好ましくは、突出部１２８０の深さとの関係において中央に配置されている。図示のように、第１ワイヤ通路１２８６は、好ましくは、スプール部材１２１０が回転可能な軸を通じて延長するように、配置されている。この中央位置は、スプール部材１２１０を通じて形成された開口部１２８７を通じてワイヤ１２８２を導くのに有用である。開口部１２８７は、好ましくは、開口部１２８７の回転位置がスロット１３１２の向きに基づいて視覚化できるように、スプール部材１２１０内に形成されたスロット１３１２とアライメントされている。その他の適切なアライメント特徴を使用することも可能である。
【００６９】
第１ワイヤ通路１２８６は、略水平に延長した状態で示されている。いくつかの構成においては、第１ワイヤ通路１２８６は、スプール部材１２１０に向かって下方に傾斜可能である。但し、好ましくは、第１ワイヤ通路１２８６は、スプール部材１２１０内の開口部１２８７と略アライメントされている。第１ワイヤ通路１２８６は、ワイヤ１２８６を収容しており、このワイヤは、図示のスプール部材１２１０を通過している。この突出部１２８０を通じたワイヤ１２８２のルーティングの結果として、ワイヤは、スプール部材１２１０が回転した際に、スプール部材１２１０の周りに巻き付くことになる。
【００７０】
図１６及び図１７を参照すれば、スプール部材１２１０を貫通する孔１２８７は、ワイヤ１２８６が第１ワイヤ通路１２８６及び第２ワイヤ通路１２８９とアライメントできるように、スプール部材１２１０を通じて傾斜可能である。第２ワイヤ通路１２８９は、好ましくは、突出部１２８０の底部表面１２９２を貫通して延長している。この結果、スプール部材１２１０によってワイヤ１２８６を締め付けて固定する前に、突出部１２８０を通じてワイヤ１２８６を引っ張ることができる。スプール部材１２１０を操作する前に、ワイヤ１２８６を結んだり、クリンプしたり、拡大したり、又はこれらに類似した処理を施すことが可能であり、或いは、ワイヤに対してハンダボールを付与することも可能である。このような構成によれば、スプール部材１２１０が回転した際に、ワイヤの端部が突出部１２８０内に引き戻される可能性を低減可能であり、この結果、スプール部材１２１０の回転によって張力が増大又は、ループの周りの長さが減少する可能性が増大する。スプール部材の回転により、ループの張力又は長さが調節され、且つ、望ましい張力又は長さが実現した後に、前述の方式により、スプール部材１２１０を回転方向においてロック可能であることを理解されたい。
【００７１】
図示の突出部１２８０は、ワイヤ１２８６の一端を受け入れるソケット１２２１をも有している。このワイヤ１２８６の端部は、好都合なことに、アンカー部材１２２３を有している。第３通路１２２５が、ソケット１２２１から離れる方向に延長している。第３通路１２２５は、好ましくは、ワイヤ１２８６が、レンズの周辺部に対する略滑らかな遷移を具備できるような角度において延長している。
【００７２】
本明細書に使用されているアンカーとは、ワイヤに装着された又はこれと一体で形成された一般に拡大された部分である。図１６に示されているアンカー部材１２２３は、略球状になっている。アンカー部材１２２３は、立方体、矩形、又はこれらに類似したものであってよく、且つ、円錐及び楕円を含むが、これらに限定されない任意の好適な構造を具備可能である。図示のアンカー部材１２２３は、必ずしも、ソケット１２２１の形状を補完してはいないが、いくつかの構成においては、アンカー部材１２２３は、ソケット１２２１を補完するように、サイズ設定及び構成可能である。また、ワイヤの端部をアンカー部材１２２３に固定する代わりに、突出部１２８０内に形成された適切に成形された凹部内にワイヤの端部をロックするべく、ワイヤの端部を結び目の形態に結んだり、はんだボールを付与したり、或いは、拡大することも可能である。望ましくは、アンカー部材及びワイヤ（又は、結び目及びワイヤ）は、協働し、止め具結び目タイプのロッキングアセンブリを定義している。突出部内にワイヤを固定した後に、余分なワイヤは、切断するか、さもなければ、フレームアセンブリから除去可能である。
【００７３】
以上においては、ワイヤがスプール部材内の開口部を通過している構造を参照し、この実施例について説明したが、ワイヤは、任意の好適な方式によってスプール部材に装着可能である。例えば、ワイヤは、開口部を通過した後に、スプール部材にはんだ付けしたり、溶接したり、クリンプしたり、機械的に固定したり、接着したり、又はこれらに類似の処理を施すことが可能である。いくつかの構成においては、ワイヤは、スプール部材の一部を通過しなくてもよい。その他の構成においては、機械的なインターロッキング構造を使用可能である。
【００７４】
図２３及び図２４を参照すれば、ワイヤのペア１３８２が接続されたスプール部材１３１０が示されている。このスプール部材は、２つのワイヤ端部を固定するべく適合されている。いくつかの構成においては、前述のスリーブ１１２４に類似したロッキングスリーブを使用可能であるが、その他の構成においては、ワイヤがスプール部材上に巻き取られるに伴って生成される摩擦力が、スプール部材の大きな回転移動を制限するべく機能可能である。換言すれば、いくつかの構成においては、スプール部材と突出部の壁の間においてワイヤを楔止め可能である。
【００７５】
スプール部材１３１０は、突出部１３８０内に配置されている。突出部１３８０は、第１ワイヤ通路のペア１３８６と、第２ワイヤ通路のペア１３８９を有している。ワイヤ１３８２は、個々の第１ワイヤ通路１３８６を通じ、個々のスプール部材１３１０の周り及びこれを貫通し、且つ、個々の第２ワイヤ通路１３８９を通じて延長している。この結果、スプール部材１３１０の回転を使用し、両方のワイヤ端部の動きによってワイヤループの長さ又は張力を調節可能である。従って、スプール部材の回転の効果が、単一のワイヤ端部のみがスプールに固定されている構成と比べて、略倍増することになる。
【００７６】
本明細書に記述されているように（且つ、先程説明したように）、スプール部材は、一般に、１つ又は２つのワイヤ端部を固定するべく使用可能であると共に、更に詳しく後述するように、略垂直又は略水平の回転軸を中心として方向付け可能である。図２３及び図２４の構成は、前述のもの（単一のワイヤ端部１２８２’が固定されており、且つ、スプール部材１２１０’が略垂直の回転軸を有していたもの）に類似した方式によって略構成されている。従って、更なる説明は、不要であり、重複するものと考えられる。但し、この構成によれば、ワイヤ１３８２の両方の端部をスプールに対して固定可能であることに留意されたい。更に好ましくは、この構成は、例えば、ブリッジなどのフレームアセンブリの別の部分から延長するワイヤ部分のペアを具備する構成に使用可能である。従って、図２３及び図２４のスプール部材１３１０の回転は、図１８〜図２２のスプール部材１２１０’の回転と比べて、結果的に２倍のワイヤの動きをもたらすことになろう。
【００７７】
次に図２５〜図２９を参照すれば、図１０〜図１２と図１３及び図１４の構成との類似点を具備した構成が示されている。この構成は、主にスプール部材１５１０の向きが異なっている。図９〜図１７の構成においては、スプール部材は、略垂直の回転軸を具備しているのに対して、図２５〜図２９の構成においては、スプール部材１５１０は、略水平の回転軸を具備している。また、スプール部材１５１０の回転の軸は、好ましくは、眼鏡の前／後方向（例えば、まっすぐにレンズを見通した際における略視線方向）に延長している。
【００７８】
図２５を参照すれば、眼鏡１５２０の一部が示されている。この眼鏡は、それぞれのレンズ１５１８から略横方向外側に延長している突出部１５８０を有している。突出部は、前述のものを含む任意の好適な構造及びサイズを具備可能である。突出部１５８０は、一般に、閉鎖部材として機能し、突出部１５８０を使用することにより、ワイヤ１５８２のループを閉じることが可能であり、このループは、本明細書に記述されている方式のいずれかによって配列及び構成されている。また、前述のように、ワイヤ１５８２は、単一片として形成することも可能であり、或いは、適切に１つに固定される（例えば、本明細書の別の部分に記述されているように、ブリッジに対してはんだ付けされる）複数のワイヤ部分を有することも可能である。
【００７９】
突出部１５８０は、第１ワイヤ通路１５８６を有している（図２６及び図２８を参照されたい）。図２６の構成においては、第１ワイヤ通路１５８６は、好ましくは、突出部１５８０の垂直寸法との関係において中央に配置されていない。図示のように、第１ワイヤ通路１５８６は、好ましくは、突出部１５８０の深さを低減するべく、中央から垂直方向にオフセットされている。換言すれば、第１ワイヤ通路１５８６をオフセットすることにより、ワイヤ１５８６は、スプール部材１５１０上におけるワイヤの位置に対して実質的にまっすぐに延長可能である。また、略水平に延長する第１ワイヤ通路１５８６が示されている。いくつかの構成においては、第１ワイヤ通路１５８６は、スプール部材１５１０に向かって下方に傾斜可能である。
【００８０】
第１ワイヤ通路１５８６は、ワイヤ１５８６を収容しており、このワイヤは、任意の好適な方式によってスプール部材１５１０に固定されている。好ましくは、ワイヤ１５８６は、溶接、ろう付け、はんだ付け、接着、機械的なインターロッキング構造の使用、又はこれらに類似したものにより、スプール部材１５１０に固定されている。更に好ましくは、ワイヤ１５８６は、スプール部材１５１０を通じて形成された孔１５８７を通じて延長し、スプール部材１５１０の少なくとも一部の周りに巻き付いている。
【００８１】
図２６及び図２９を参照すれば、スプール部材１５１０を通じた孔１５８７は、ワイヤ１５８６を第１ワイヤ通路１５８６及び第２ワイヤ通路１５８９とアライメントできるように、スプール部材１５１０を通じて傾斜可能である。第２ワイヤ通路１５８９は、好ましくは、突出部１５８０の後面１５９１を通じて延長している。この結果、ワイヤ１５８６をスプール部材１５１０によって締め付けて固定する前に、ワイヤ１５８６を突出部１５８０を通じて引っ張ることができる。
【００８２】
図示の突出部１５８０は、ワイヤ１５８６の端部を収容するソケット１５２１をも有している。ワイヤ１５８６の端部は、好都合なことに、アンカー部材１５２３を有している。第３通路１５２５が、ソケット１５２１から離れる方向に延長している。この第３通路は、好ましくは、ワイヤがレンズの周辺部に対して略滑らかな遷移を具備できるような角度において延長している。
【００８３】
本明細書に使用されているアンカーとは、ワイヤに装着された、又は、これと一体で形成された一般に拡大された部分である。図２８に示されているアンカー部材１５２３は、略球状になっている。アンカー部材１５２３は、立方体、矩形、又はこれらに類似したものであってよく、且つ、円錐及び楕円を含むが、これらに限定されない任意の好適な構造を具備可能である。図示のアンカー部材１５２３は、ソケット１５２１の形状を必ずしも補完してはいないが、いくつかの構成においては、アンカー部材１５２３は、ソケット１５２１を補完するように、サイズ設定及び構成可能である。また、ワイヤの端部をアンカー部材１５２３に固定する代わりに、突出部１５８０内に形成された適切に成形された凹部内にワイヤの端部をロックするべく、ワイヤの端部を単純に結び目の形態に結ぶか、又は拡張することも可能である。望ましくは、アンカー部材及びワイヤ（又は、結び目及びワイヤ）は、協働して、止め具結び目タイプのロッキングアセンブリを定義している。
【００８４】
構造における類似性に起因し、図２５〜図２７の構成のコンポーネントの多くのものに関する更なる説明は、不要であり、重複するものとと考えられが、この構成は、カバー１５９３をも特徴としていることに留意されたい。カバー１５９３は、突出部１５８０の前面上にスナップフィットするべく設計されている。換言すれば、カバー１５９３は、前面パネル１５９７から後方に延長する２つの脚部１５９５を有する略Ｕ字の形状になっている。脚部１５９５は、突出部１５８０の一部を把持する内側に延長するフィンガ１５９９を包含可能である。スプール部材１５１０の略水平の回転軸に起因し、カバー１５９３は、スプール部材１５１０が前述の方式によって定位置にロックされた後に、定位置に係合する。また、この構成は、１つのワイヤ端部がスプール部材１５１０上に巻き付いた状態において、突出部に固定された他端を具備可能であることに言及しておく必要があろう。
【００８５】
図３０を参照すれば、ワイヤのペア１５８２’が接続されたスプール部材が示されている。本明細書に記述されているように、且つ、先程説明したように、スプール部材は、１つ又は複数のワイヤ端部を固定するべく使用可能であると共に、略垂直又は略水平の回転軸を中心として方向付け可能である。図３０の構成は、前述のもの、すなわち、単一のワイヤ端部が固定されており、且つ、スプール部材１５１０が略水平の回転軸を有していたものに類似した方式によって一般的に構成されている。従って、更なる説明は、不要であり、重複するものとと考えれる。但し、この構成によれば、ワイヤの両方の端部をスプールに対して固定可能であることに留意されたい。更に好ましくは、この構成は、例えば、ブリッジなどのフレームアセンブリの別の部分から延長するワイヤ部分のペアを具備した構成に使用可能である。従って、図３０のスプール部材１５１０’の回転は、図２６のスプール部材１５１０の回転に比べて、結果的に２倍のワイヤの動きをもたらすことになろう。
【００８６】
図３１〜図３３を参照すれば、ラチェット及びつめの構成１６００を特徴とする構成が示されている。周知のように、ラチェット及びつめの構成は、一般に、機械なオーバーライドを作動させない限り、動きを１つの方向に制限可能な機械的装置である。ラチェットは、通常、傾斜した歯１６０４を有するホイール１６０２又はギアである。つめ１６０６は、ホイール１６０２に対して略正接しているレバーであり、一端が歯１６０４上に安置されている。ホイール１６０２が一方向に回転する際に、つめ１６０６は、歯１６０４上をスライドし、ホイール１６０２が反対方向に回転する際には、つめ１６０６は、歯１６０４内に係合する。
【００８７】
図示の構成においては、ホイール１６０２は、スプール部材１６１０に固定されている。スプール部材１６１０は、任意の好適な構成を具備可能であり、好ましくは、その構造は、先程図示及び説明したスプール部材に類似している。図３１〜図３３の図示の構成は、図２５〜図２９の構成に略類似していることから、類似したコンポーネントの更なる説明は、不要であり、重複するものと考えられる。
【００８８】
図３３を参照すれば、ホイール１６０２をスプール部材１６１０に対して固定することにより、フランジ１６１２がこれら２つの間に介在するようすることができる。フランジ１６１２は、突出部１６８０と一体で形成可能である。図示の構成におけるホイール１６０２は、ねじ付きの留め具１６１４によって固定されているが、ホイールをスプールに対して接続するその他の好適な方式を使用することも可能である。ホイール１６０２がスプール部材１６１０に対して固定されているため、スプール部材１６１０の下部部分にねじを切る必要はなく、スリーブ１６１６を、スプール部材１６１０に通すのではなく、突出部１６８０内の定位置に通すことができる。この結果、スリーブ１６１６は、つめ及びラチェットの構造１６００を収容する開口部のカバーを形成している。従って、スリーブ１６１６を除去することにより、ホイール１６０２からつめ１６０６を容易に解放することができる。
【００８９】
つめ１６０６をホイール１６０２との係合状態にロックするべく、止めねじ１６２０が提供されており、この結果、止めねじ１６２０をつめ１６０６から除去しない限り、つめをホイール１６０２から除去することはできない。換言すれば、突出部１６８０は、つめ１６０６がホイール１６０２との係合状態にある際につめ１６０６の一部と交差しているねじが切られた開口部１６２２を有している。止めねじ１６２０は、開口部１６２２内に螺入可能である。開口部１６２２は、いくつかの実施例においては、止めねじ１６２０がカバー１６２４によってカバーされるように、配置可能である。その他の構成においては、止めねじ１６２０は、突出部１６８０の下部表面を貫通して延長可能である。更には、いくつかの構成においては、止めねじが力をつめに印加していない限りつめがホイールから解放されるように、つめ１６０６にバイアスをかけることが可能であり、或いは、つめが板ばねタイプの構造を有することも可能である。このような構成の場合には、分解が容易ではあろうが、時間の経過に伴う望ましくない緩みのリスクも増大することになろう。
【００９０】
次に図３４及び図３５を参照すれば、図３１〜図３３において説明したものに類似した構成が示されている。この構成においては、スプール部材１７１０は、略垂直の回転軸を有している。従って、止めねじ１７２０は、突出部１７８０の後面１７５５を貫通して延長している。具体的には、ねじが切られた開口部１７２２が、後面１７５５を貫通して形成されており、止めねじ１７２０は、この開口部１７２２内に螺入可能である。また、図３５に示されているように、ワイヤ１７８６の一端は、好ましくは、突出部１７８０の下部表面１７５７を貫通して延長している。このような構成によれば、ワイヤ１７８６が延長する開口部の視認性が低減される。
【００９１】
次に図３６及び図３７を参照すれば、本明細書に開示されている任意の閉鎖部材構造又は突出部の一部は、関連するレンズの周辺表面内の溝の一部分内にフィットする隆起したリップ部又は歯を具備するべく構成可能である。この歯は、閉鎖部材がレンズの周辺側部から滑り落ちる可能性を低減可能である。従って、この歯は、好都合なことに、閉鎖部材の取り付けの安定性を向上させるものと考えられる。但し、図３６及び図３７に示されているものなどのいくつかの構成においては、この歯が提供されておらず、閉鎖部材３７０、３７０’には、関連するレンズ３７２、３７２’の周辺部と略同一平面をなす接続部が提供されている。又、図３６及び図３７に示されているように、レンズ３７２、３７２’の周辺部は、略正方形あるか、又は丸くなったものであってもよい（図３６と図３７を比較されたい）。好ましくは、閉鎖部材３７０、３７０’の当接表面の輪郭は、関連するレンズ３７２、３７２’の周辺表面を補完するべく成形されている。
【００９２】
次に、図３８〜図４３を参照すれば、前述の眼鏡のいずれかは、いくつかのブリッジ構造のいずれかを収容可能である。ブリッジ構造は、両方のレンズの結合を円滑に実行する。図３８〜図４３は、ブリッジ構造の４つの変形を示している。必要に応じて、その他のブリッジ設計を使用することも可能である。
【００９３】
次に図３８及び図３９を参照すれば、ブリッジ４５０が示されている。ブリッジ４５０は、中央部分４５１及び脚部のペア４５２を有することができる。脚部４５２は、中央部分４５１から略下方に延長しており、且つ、中央部分４５１と共に、略逆Ｕ字の形状のブリッジ４５０を定義している。その他の寸法も実施可能であるが、丈夫な設計のためには、脚部４５２は、好ましくは、少なくともワイヤ直径１つ分の厚さを具備しており（図３８を参照されたい）、且つ、脚部４５２は、好ましくは、少なくともワイヤ直径２つ分の幅を具備している（図３９を参照されたい）。また、ブリッジ４５０は、異なる断面を具備する部分を含む任意の好適な断面形状を具備可能である。例えば、中央部分４５１は、円筒形、管状、矩形、正方形、楕円、又はこれらに類似したものであってよい。更には、脚部４５２は、略平坦なものであってよいが、その他の断面形状も使用可能である。
【００９４】
少なくとも１つの孔４５３が、好ましくは、脚部のペア４５２のそれぞれの内部に形成されている。図示の構造においては、２つの孔４５３が、レッグ４５２のそれぞれの内部に配置されている。いくつかの実施例においては、３つ以上の孔を使用することも可能である。２つの孔４５３を具備することにより、関連する眼鏡の組立が完全に終了し、使用される際に、ブリッジが定位置に留まる能力が改善されるものと考えられる。また、完全に調節可能な長さを特徴とする（例えば、実質的に異なる周辺寸法のレンズに対応可能である）フレームアセンブリにおいては、ワイヤに沿ったブリッジ４５０の位置を望ましい位置に完全に調節可能である。同様に、異なる形状であるが必ずしも異なる周辺寸法ではないものに対応する能力を特徴とするフレームアセンブリにおいては、ブリッジ４５０は、望ましい配置が実現されるまで、ブリッジ４５０をレンズの形状との関係において再配置可能である。
【００９５】
孔４５３は、好ましくは、ワイヤの直径１つ分を上回っており、且つ、ワイヤの直径２つ分を下回っている。いくつかの構造においては、孔４５３は、ワイヤの直径２つ分を上回ることができるが、このようなサイズ設定は、結果的に脚部４５２の幅の増大をもたらし、これは、いくつかの眼鏡構造において、あまり望ましいことではないであろう。
【００９６】
孔４５３は、好ましくは、孔４５３の間を延長する脚部４５２の凹部又は挿入領域４５４を有するように形成されている。この挿入領域４５４は、好ましくは、関連するレンズの溝の内部に収容されるようにサイズ設定及び構成されている。このような構造によれば、脚部４５２の幅の（必ずしも、挿入部分４５４を含んではいない）少なくとも一部が、関連するレンズの周辺表面に当接可能である。更には、図示の構成においては、ワイヤは、好都合なことに、脚部４５２を超えて突出していない。このような構造は、縁なしスタイルの外観に有用である。但し、いくつかの実施例においては、ワイヤは、ワイヤが脚部４５２からわずかに突出するように、レッグ４５２の表面を超えてわずかに延長可能である。このような構造においては、凹部４５４は、相対的に小さな寸法を具備可能であり、或いは、脚部４５２が、相対的に小さな全体寸法を具備可能である。
【００９７】
使用の際には、関連するワイヤ及びレンズコンポーネントを組み立てる前に、ワイヤを孔４５３に通すことができる。ブリッジ４５０は、必要に応じて、レンズに沿って配置可能であり、且つ、ワイヤをループとして閉じる際に、定位置に固定可能である。ワイヤの張力は、前述の任意の方式により、且つ、前述のものを含む任意の好適な構造によって調節可能である。
【００９８】
次に、図４０を参照すれば、ブリッジ４６０が示されている。ブリッジ４６０は、中央部分４６１を有しており、この中央部分４６１のそれぞれの端部には、短い延長部４６２が位置している。いくつかの構成においては、延長部４６２を省略可能である。また、中央部分４６１及び延長部４６２は、任意の好適な断面形状を使用可能である。図示の構成においては、ワイヤ（又は、ワイヤの一部）のペアが延長部４６２に固定されている。ワイヤ（又は、ワイヤの一部）は、はんだ付け、溶接、接着、又は機械的なインターロッキング構造を含む（但し、これらに限定されない）任意の好適な方式によって固定可能である。また、必要に応じて、ワイヤ（又は、ワイヤの一部）の端部は、中央部分４６１に対して直接固定することも可能である。この構造によれば、眼鏡の組立が完全に終了した際に、レンズとの関係においてブリッジの配置を堅固に固定可能である。また、組立の最中又は後において、ブリッジの位置がワイヤの長さに沿ってシフトする可能性が低いため、この構造によれば、レンズ軸の正しいアライメントが円滑に実行される。
【００９９】
次に、図４１及び図４２を参照すれば、更なるブリッジ４７０が示されている。この構成においては、ブリッジ４７０は、一般に、中央部分４７１と、この中央部分４７１のそれぞれの端部に位置する短い延長部４７２を有している。いくつかの構成においては、延長部４７２の代わりに、図３８及び図３９に示されているものに類似した脚部を使用可能である。前述の構造のそれぞれと同様に、ブリッジ及びその１つ又は複数のコンポーネントは、任意の好適な断面構造を具備可能である。また、断面構造は、ブリッジの任意の部分に沿って変化可能である。
【０１００】
通路４７３は、好ましくは、それぞれの延長部４７２の少なくとも一部分を通じて延長している。図示の構成においては、通路４７３は、延長部４７２の長さの全体を通じて延長しているが、その他の構造は、延長部の限られた部分を通じて延長する通路を特徴とすることができる。また、いくつかの変形においては、通路４７３は、中央部分４７１の端部を通じて延長可能であり、延長部４７２を省略可能である。通路４７３は、任意の好適な断面構造を具備可能である。いくつかの構成においては、通路４７３は、円筒形であるか、或いは、長円又は楕円形の断面を具備している。好ましくは、通路４７３の少なくとも１つの横寸法は、関連するワイヤの直径１つ分を上回っている。同様に、延長部４７２は、好ましくは、丈夫な構造が結果的に得られるように、関連するワイヤの少なくとも直径２つ分を上回っている。コンポーネントの寸法は、必要に応じて変化可能である。
【０１０１】
図４１及び図４２の構成と関連し、ブリッジ４７０は、固定されたワイヤ長又は完全に調節可能なワイヤ長を具備する眼鏡に使用可能である。ブリッジ４７０は、望ましいブリッジの配置を実現するべく、ワイヤの長さに沿って移動可能である。更には、ブリッジをワイヤから容易に除去し、異なるワイヤ上に再配置可能であり、この結果、ワイヤを必要に応じて交換可能である。また、ブリッジ４７０によれば、好都合なことに、眼鏡の組立が完全に終了した際に、ワイヤに対する接続を実質的に隠蔽可能であり、これは、いくつかの眼鏡構造において望ましいものであろう。このわかりにくい装着場所に起因し、ブリッジ４７０を使用する眼鏡の縁なしの外観が、更に改善されることになる。
【０１０２】
図４３を参照すれば、更なるブリッジ４８０が示されている。この構成においては、前述のものと同様に、ブリッジ４８０は、一般に、中央部分４８１と、この中央部分４８１のそれぞれの端部に位置する短い延長部４８２を有している。いくつかの構成においては、延長部４８２の代わりに、図３８及び図３９に示されているものに類似した脚部を使用可能である。前述の構造のそれぞれと同様に、ブリッジ及びその１つ又は複数のコンポーネントは、任意の好適な断面構造を具備可能である。また、断面構造は、ブリッジの任意の部分に沿って変化可能である。
【０１０３】
通路４８３は、好ましくは、それぞれの延長部４８２の少なくとも一部を通じて延長している。図示の構成においては、通路４８３は、延長部４８２の長さ全体を通じて延長しているが、その他の構造は、延長部４８２の限られた部分を通じて延長する通路を特徴とすることができる。更には、いくつかの変形においては、通路４８３は、中央部分４８１の端部を通じて延長可能であり、延長部４８２を省略可能である。通路４８３は、任意の好適な断面構造を具備可能である。いくつかの構成においては、通路４８３は、円筒形であるか、或いは、長円形又は楕円形の断面を具備している。好ましくは、通路４８３の少なくとも１つの横寸法は、関連するワイヤの直径１つ分を上回っている。同様に、延長部４８２は、好ましくは、丈夫な構造が結果的に得られるように、関連するワイヤの少なくとも直径２つ分を上回っている。コンポーネントの寸法は、必要に応じて変化可能である。
【０１０４】
図４３のブリッジ４８０は、図４１のブリッジ４７０に類似しているが、図４３のブリッジ４８０は、ワイヤロッキングメカニズム４８５を更に含んでいる。ロッキングメカニズム４８５は、開口部４８７を通じて延長する突出部４８６を有している。突出部４８６は、通路４８３を通過するワイヤの一部に接触するのに十分な長さを具備している。いくつかの構成においては、突出部は、ばね板４８８上に形成されている。更なる構成においては、別の突出部４８９をばね板４８８の反対側上に配置可能である。この反対側の突出部４８９は、好ましくは、レンズの周辺表面内に形成された溝内にフィットするべくサイズ設定及び構成されている。図示の構成のように、突出部４８６、４８９を有するばね板４８８の一部分がわずかにオフセットされている場合には、反対側の突出部は、ワイヤの直径又はレンズ内の溝の深さよりも小さいものであってよい。
【０１０５】
ばね板４８８は、開口部４８７内に配置された突出部４８６とレンズの最終位置に向かって延長する反対側の突出部４８９により、延長部４８２に固定可能である。従って、レンズが、延長部４８２に隣接した場所に配置され、締め付けられるに伴って、レンズは、反対側の突起４８９に接触し、この結果、突出部４８６が、開口部４８７を通じたワイヤとの係合状態となる。
【０１０６】
好ましくは、ワイヤを凹部４９０内にオフセットできるように、凹部４９０が通路４８３内に形成されている。いくつかの構成においては、凹部４９０は、延長部４８２を通じて開口部４８７を形成する際に、形成される。ワイヤは、好ましくは、眼鏡を組み立ててワイヤ上の張力を調節する際に、ワイヤを凹部内にオフセットできるように、十分に柔軟である。
【０１０７】
以上、特定の好適な実施例、例、及び変形と関連して本発明を開示したが、当業者であれば、本発明は、具体的に開示されている実施例に留まることなく、その他の代替実施例及び／又は本発明の使用法、並びに、その明らかな変更及び等価物に及ぶことを理解するであろう。また、本発明のいくつかの変形について詳細に図示及び説明したが、当業者には、本開示内容に基づいて、本発明の範囲内に含まれるその他の変更が容易に明らかとなろう。また、実施例の特定の特徴及び態様の様々な組み合わせ及びサブ組み合わせを実施することも可能であり、且つ、これらが、本発明の範囲内に依然として含まれることも想定されている。従って、開示されている実施例の様々な特徴及び態様は、開示されている本発明の様々な形態を形成するべく、互いに組み合わせたり、又は互いに置換可能であることを理解されたい。更には、１つの実施例と関連して説明されているいくつかの変形を、その他の実施例に使用することも可能である。例えば、実施例の多くは、ワイヤを通す孔を有するスプール部材を特徴としている。スプール部材を特徴としている実施例のいくつかと関連し、ワイヤは、例えば、スプール部材にはんだ付けされるものとして開示されている。任意のスプール部材の実施例において、いずれの構成をも実装可能であることを意図している。また、本明細書には、多くのその他の変形について説明されており、物理的に可能な場合には、相互適用が意図されている。従って、本明細書に開示されている本発明の範囲は、前述の特定の開示されている実施例によって限定されることを意図するものではなく、添付の請求項を公正に解釈することによってのみ、決定されるべきものである。
【図面の簡単な説明】
【０１０８】
【図１】本発明の特定の特徴、態様、及び利点に従って配列及び構成された眼鏡の斜視図である。
【図２】レンズ、ケーブル、挿入部、スリーブ、及びねじ付きの留め具を示す図１の眼鏡の一部分の拡大分解斜視図である。
【図３】図２のケーブルと挿入部間の接続部分の拡大断面図である。
【図４】図２に示されている図１の眼鏡の一部分の概略部分破壊頂面図である。
【図５】図４のライン５−５に略沿って取得された図１のフレームアセンブリの断面図である。
【図６】レンズ、ケーブル、挿入部、スリーブ、及びねじ付きの留め具を示す図２の構成の一変形の一部分の拡大分解斜視図である。
【図７】レンズ、ケーブル、挿入部、スリーブ、及びねじ付きの留め具を示す図２の構成の別の変形の一部分の拡大分解斜視図である。
【図８】レンズ、ケーブル、挿入部、スリーブ、及びねじ付きの留め具を示す図２の構成の更なる変形の一部分の拡大分解斜視図である。
【図９】本発明の特定の特徴、態様、及び利点に従って配列及び構成された更なる眼鏡の斜視図である。
【図１０】閉鎖部材、ねじ付きの留め具、ケーブル、及びねじ付きのエンドキャップを示す図９の眼鏡の一部分の拡大分解斜視図である。
【図１１】図１０に示されている部分の平面図であり、矢印によって示された締め付け方向を示している。
【図１２】図１１のライン１２−１２に略沿って取得された断面図である。
【図１３】本発明の特定の特徴、態様、及び利点に従って配列及び構成された別の調節システムの正断面図である。
【図１４】図１３のライン１４−１４に略沿って取得された断面図である。
【図１５】本発明の特定の特徴、態様、及び利点に従って配列及び構成された調節システム、レンズ、及びテンプルの拡大部分図である。
【図１６】図１５のライン１６−１６に略沿って取得された断面図である。
【図１７】図１６のライン１７−１７に沿って取得された図１５の調節システムの正面図である。
【図１８】スプール部材の周りに巻き付けられたワイヤを有する図１６に類似した調節システムの断面図である。
【図１９】図１８のライン１９−１９に略沿って取得された断面図である。
【図２０】図１８のライン２０−２０に略沿って取得された断面図である。
【図２１】図１８のライン２１−２１に略沿って取得された断面図である。
【図２２】図１８のライン２２−２２に略沿って取得された断面図である。
【図２３】本発明の特定の特徴、態様、及び利点に従って配列及び構成された別の調節システム、レンズ、及びテンプルの断面図である。この断面図は、図１８の断面図に類似しており、関連する眼鏡の正面図に略平行な眼鏡の断面を反映している。
【図２４】図２３のライン２４−２４に略沿って取得された断面図である。
【図２５】本発明の特定の特徴、態様、及び利点に従って配列及び構成された調節システム、レンズ、及びテンプルの拡大部分図である。
【図２６】図２５のライン２６−２６に略沿って取得された断面図である。
【図２７】図２６のライン２７−２７に沿って取得された図２５の調節システムの正面図である。
【図２８】図２６のライン２８−２８に略沿って取得された断面図であり、図２７の正面図に対して略平行な眼鏡の断面を反映している。
【図２９】図２８のライン２９−２９に略沿って取得された断面図である。
【図３０】スプールに固定された２つのワイヤ端部を有する図２６に類似した図である。
【図３１】本発明の特定の特徴、態様、及び利点に従って配列及び構成された別の調節システム、レンズ、及びテンプルの拡大部分図である。
【図３２】図３１のライン３２−３２に略沿って取得された断面図である。
【図３３】図３２のライン３３−３３に略沿って取得された断面図である。
【図３４】本発明の特定の特徴、態様、利点に従って配列及び構成された、図３１〜図３３に示されている調節システムに類似した調節システムの拡大部分図である。
【図３５】図３４のライン３５−３５に略沿って取得された断面図である。
【図３６】本発明の特定の特徴、態様、及び利点に従って配列及び構成された、テンションブロックとレンズ間のインターフェイスを示す眼鏡の概略部分平面図である。
【図３７】本発明の特定の特徴、態様、及び利点に従って配列及び構成された、テンションブロックとレンズ間の別のインターフェイスを示す眼鏡の別の概略部分平面図である。
【図３８】本発明のいくつかの実施例に従って配列及び構成された眼鏡用のブリッジ構造の図である。
【図３９】図３８に示されているブリッジ構造のライン３９−３９に沿った図である。
【図４０】本発明のいくつかの実施例に従って配列及び構成された眼鏡用の別のブリッジ構造の図である。
【図４１】本発明のいくつかの実施例に従って配列及び構成された眼鏡用の更なるブリッジ構造の図である。
【図４２】図４１に示されているブリッジ構造のライン４２−４２に沿った図である。
【図４３】本発明のいくつかの実施例に従って配列及び構成された眼鏡用のブリッジ構造の断面図である。
【図１】
2007537489.tif 000003
【図２】
2007537489.tif 000004
【図３】
2007537489.tif 000005
【図４】
2007537489.tif 000006
【図５】
2007537489.tif 000007
【図６】
2007537489.tif 000008
【図７】
2007537489.tif 000009
【図８】
2007537489.tif 000010
【図９】
2007537489.tif 000011
【図１０】
2007537489.tif 000012
【図１１】
2007537489.tif 000013
【図１２】
2007537489.tif 000014
【図１３】
2007537489.tif 000015
【図１４】
2007537489.tif 000016
【図１５】
2007537489.tif 000017
【図１６】
2007537489.tif 000018
【図１７】
2007537489.tif 000019
【図１８】
2007537489.tif 000020
【図１９】
2007537489.tif 000021
【図２０】
2007537489.tif 000022
【図２１】
2007537489.tif 000023
【図２２】
2007537489.tif 000024
【図２３】
2007537489.tif 000025
【図２４】
2007537489.tif 000026
【図２５】
2007537489.tif 000027
【図２６】
2007537489.tif 000028
【図２７】
2007537489.tif 000029
【図２８】
2007537489.tif 000030
【図２９】
2007537489.tif 000031
【図３０】
2007537489.tif 000032
【図３１】
2007537489.tif 000033
【図３２】
2007537489.tif 000034
【図３３】
2007537489.tif 000035
【図３４】
2007537489.tif 000036
【図３５】
2007537489.tif 000037
【図３６】
2007537489.tif 000038
【図３７】
2007537489.tif 000039
【図３８】
2007537489.tif 000040
【図３９】
2007537489.tif 000041
【図４０】
2007537489.tif 000042
【図４１】
2007537489.tif 000043
【図４２】
2007537489.tif 000044
【図４３】
2007537489.tif 000045
【国際調査報告】
2007537489.tif 000046
2007537489.tif 000047
2007537489.tif 000048